(57)【要約】【課題】リモートコントロール装置でテレビジョン受像機の選局を行う際の操作性を改善する。【解決手段】テレビジョン受像機として、リモートコントロール信号を受信する受信部と、その受信部で受信したリモートコントロール信号に基づいて、チューナで受信するチャンネルを制御する制御部と、リモートコントロール信号で指定されるそれぞれの選局キーごとに、制御部が選局するチャンネルとして、複数のチャンネルを順位を付けて記憶可能な選局可能チャンネルメモリとを備えた構成とし、リモートコントロール装置の同じ選局キーが連続して操作されると、その選局キーに対応してテレビジョン受像機の選局可能チャンネルメモリに記憶されたチャンネルが、メモリに記憶された順に選局されるようにした。【選択図】図４
2007281899.tif 000002
【特許請求の範囲】
【請求項１】
放送信号を受信するチューナと、
前記チューナで受信した放送信号に含まれる映像の表示処理を行う映像処理部と、
前記映像処理部で処理された映像を表示させる表示部と、
リモートコントロール信号を受信する受信部と、
前記受信部で受信したリモートコントロール信号に基づいて、前記チューナで受信するチャンネルを制御する制御部と、
前記リモートコントロール信号で指定されるそれぞれの選局キーごとに、前記制御部が選局するチャンネルとして、複数のチャンネルを順位を付けて記憶可能な選局可能チャンネルメモリとを備えたことを特徴とする
テレビジョン受像機。
【請求項２】
請求項１記載のテレビジョン受像機において、
前記制御部は、前記受信部で選局キーのリモートコントロール信号を受信した場合に、この受信した選局キーに対応して前記選局可能チャンネルメモリに記憶されたいずれかのチャンネルが選局中でない場合には、前記選局可能チャンネルメモリの該当する選局キーのエリアの最初に記憶されたチャンネルを選局させ、
受信した選局キーに対応して前記選局可能チャンネルメモリに記憶されたいずれかのチャンネルが選局中である場合には、前記選局可能チャンネルメモリの該当する選局キーのエリア内の現在受信中のチャンネルの次に記憶されたチャンネルを選局させることを特徴とする
テレビジョン受像機。
【請求項３】
請求項１記載のテレビジョン受像機において、
前記選局可能チャンネルメモリに前記選局キーごとに記憶する複数のチャンネルは、放送番組のジャンルを指定して登録されたチャンネルであることを特徴とする
テレビジョン受像機。
【請求項４】
放送信号を受信するチューナと、
前記チューナで受信した放送信号に含まれる映像の表示処理を行う映像処理部と、
前記映像処理部で処理された映像を表示させる表示部と、
リモートコントロール信号を受信する受信部と、
前記受信部で受信したリモートコントロール信号に基づいて、前記チューナで受信するチャンネルを制御する制御部と、
前記リモートコントロール信号で指定されるそれぞれの選局キーごとに、前記制御部が選局するチャンネルとして、放送局ごとに存在する複数の編成チャンネルを、編成チャンネル番号順に記憶する選局可能チャンネルメモリとを備えたことを特徴とする
テレビジョン受像機。
【発明の詳細な説明】
【技術分野】
【０００１】
本発明は、テレビジョン受像機に関し、特にリモートコントロール装置からのリモートコントロール信号の受信で選局が可能なテレビジョン受像機に関する。
【背景技術】
【０００２】
テレビジョン放送信号を受信するチューナを内蔵したテレビジョン受像機は、リモートコントロール装置が付属したものが多く、そのリモートコントロール装置に配置された選局キーをユーザが操作することで送信されるリモートコントロール信号（一般には赤外線信号）を受信することで、指定された選局キーに対応してプリセットされたチャンネルをチューナで選局させる制御を行っている。
【０００３】
具体的には、例えばリモートコントロール装置には、１から１２までの数字が記載（印刷）された数字キーが選局キーとして配置されて、それぞれの選局キーの操作で、対応してプリセットされたチャンネルを直接選局することができる。
【０００４】
特許文献１には、リモートコントロール装置での選局キーの操作に基づいて、選局操作が可能なテレビジョン受像機についての記載があり、特に編成チャンネルと称される多数のチャンネルが存在する場合の選局処理についての記載がある。
【特許文献１】特開２００４−３６３８１９号公報
【発明の開示】
【発明が解決しようとする課題】
【０００５】
ところで、テレビジョン放送で放送サービスされるチャンネル数は増大する傾向にあり、従来の１２個の数字キーだけによる選局では、選局できる数が不足するという問題がある。この問題点を解決するためには、例えば、リモートコントロール装置に配置された数字キーをいわゆるテンキーとして利用して（０は１０のキーで代用）、２桁又は３桁のチャンネル番号を入力できるようにして、放送サービスされている多数のチャンネルの中から希望するチャンネルをダイレクトに選局できるようにしたものが実用化されている。
【０００６】
ところが、２桁又は３桁のチャンネル番号を入力する場合の実際のキー入力操作としては、チャンネル番号を入力するための２つ（２桁の場合）又は３つ（３桁の場合）のキー操作の他に、入力番号を確定させるキー操作が必要で、また放送サービスが多数存在する場合には、その放送サービス（地上波デジタル、ＢＳデジタル、ＣＳデジタルなど）の種類を確定させるキー操作が必要で、非常に多くのキー操作が必要である。また、ユーザが希望する番組が放送されている２桁又は３桁のチャンネル番号を正確に覚えておく必要があり、使い勝手がよい操作とは言えない。
【０００７】
本発明はかかる点に鑑みてなされたものであり、リモートコントロール装置でテレビジョン受像機の選局を行う際の操作性を改善することを目的とする。
【課題を解決するための手段】
【０００８】
本発明は、テレビジョン受像機として、リモートコントロール信号を受信する受信部と、その受信部で受信したリモートコントロール信号に基づいて、チューナで受信するチャンネルを制御する制御部と、リモートコントロール信号で指定されるそれぞれの選局キーごとに、制御部が選局するチャンネルとして、複数のチャンネルを順位を付けて記憶可能な選局可能チャンネルメモリとを備えた構成としたものである。
【０００９】
このようにしたことで、リモートコントロール装置の同じ選局キーが連続して操作されると、その選局キーに対応してテレビジョン受像機の選局可能チャンネルメモリに記憶されたチャンネルが、メモリに記憶された順に選局されることにとなる。従って、例えばリモートコントロール装置に１２個の選局キーがない場合でも、１つの選局キーに複数のチャンネルを割り当てれば、選局キーの操作だけで、１２個を越える数のチャンネルを直接選局できるようになる。
【発明の効果】
【００１０】
本発明によると、リモートコントロール装置の１つの選局キーに複数のチャンネルを割り当てて選局可能チャンネルメモリに記憶させれば、選局キーの数を越えるチャンネルを選局できるようになり、多数のチャンネルを簡単に選局できるようになる。
【００１１】
この場合、例えば放送サービスされるチャンネル構成として、１つの放送局ごとに多数の編成チャンネルが存在する場合、リモートコントロール装置の１つの選局キーに放送局を割り当て、その放送局に用意された編成チャンネルの番号を、同一の選局キーの記憶エリアに記憶されれば、放送局ごとの編成チャンネルの選局が、それぞれの放送局に割り当てられた選局キーを必要とする回数操作するだけで、簡単に行えるようになる。
【発明を実施するための最良の形態】
【００１２】
以下、本発明の一実施の形態を、図１〜図１３を参照して説明する。
【００１３】
図１は、本例のシステム構成例を示した図である。本例のシステムは、テレビジョン受像機１０と、そのテレビジョン受像機１０を遠隔制御するリモートコントロール装置３０とで構成される。
テレビジョン受像機１０は、２つのアンテナ線接続端子１１ａ，１１ｂを備えて、地上波を受信するアンテナが端子１１ａに接続され、衛星放送（ＢＳ：Broadcasting Satellite）波を受信するアンテナが端子１１ｂに接続される。これらのアンテナ線接続端子１１ａ，１１ｂはチューナ１２に接続してあり、チューナ１２で地上波の放送信号及び衛星放送信号を受信することができる。チューナ１２での受信チャンネルは、制御部２１により制御される。
【００１４】
チューナ１２で受信した放送信号は、映像処理部１３に供給して表示させるために必要な各種映像処理を行う。映像処理部１３で処理された映像信号は、映像合成部１４に供給して、ＯＳＤ処理部１７が出力するオンスクリーンディスプレイ（ＯＳＤ：On Screen Display）としての表示を行うための映像信号を合成し、その合成された映像信号を表示駆動部１５に供給する。表示駆動部１５は、供給された映像信号に基づいて表示パネル１６での映像表示を駆動する。表示パネル１６としては、例えば液晶画像表示パネルが使用される。
【００１５】
ＯＳＤ処理部１７が出力する映像信号によるＯＳＤ表示は、表示パネル１６上に各種案内用の文字，数字，図形などを表示させて、チャンネル番号、音量などを表示させるための信号の他に、各種設定を行うためのメニュー画面表示、プリセット用の案内画面表示などがある。後述するチャンネルプリセット用の画面表示についても、このＯＳＤ処理部１７が出力する映像信号により表示される。表示させる案内映像がない場合には、映像合成部１４での合成は行われない。
【００１６】
チューナ１２から表示パネル１６まででの受信映像処理及びＯＳＤ処理部１７でのＯＳＤ表示処理は、このテレビジョン受像機１０の動作を制御する中央制御ユニット（ＣＰＵ）としての制御部２１により制御される。制御部２１は、制御バスラインを介してメモリ２２とデータ転送が行える構成としてあり、制御を行う上で必要なデータがメモリ２２に記憶される。後述するチャンネルプリセット情報についても、メモリ２２に記憶させるようにしてある。
【００１７】
テレビジョン受像機１０の操作は、受像機１０に配置された操作部２３の操作を制御部２１が判断することで可能である。また、リモートコントロール装置３０から送信されるリモートコントロール信号を受信するリモートコントロール信号受信部２４を備え、そのリモートコントロール信号受信部２４でのリモートコントロール信号の受信を制御部２１が判断することでも可能な構成としてある。本例のリモートコントロール信号受信部２４は、赤外線信号を受信（受光）する受信部として構成してある。なお、図１においては、テレビジョン受像機１０の音声処理系については省略してある。
【００１８】
リモートコントロール装置３０は、例えば図２に示すように多数の操作キー４１〜４６が配置してあり、それぞれの操作キー４１〜４６の操作を制御部３１が判断して、その判断した操作に対応したリモートコントロール信号（赤外線信号）を、リモートコントロール信号送信部３３から送信（発光）させる構成としてある。送信させるリモートコントロール信号のコードは、制御部３１に接続されたメモリ３２に記憶させてある。
【００１９】
ここで、図２に示したリモートコントロール装置３０のキー配置例について説明すると、例えば１〜１２の数字キー４１と、チャンネルアップダウンキー４２と、音量アップダウンキー４３と、電源キー４４と、上下左右キー４５と、決定キー４６などが、リモートコントロール装置３０の表面には配置してある。１２個の数字キー４１は、それぞれのキーにプリセットされたチャンネルへの選局を直接指定する選局キーである。また、リモートコントロール装置３０を構成する筐体の上端には、リモートコントロール信号送信部３３が内蔵させてある。なお、本例のリモートコントロール装置３０は、テレビジョン受像機を遠隔制御するリモートコントロール装置として従来から知られた一般的な構成である。
【００２０】
次に、リモートコントロール装置３０のキー操作で、テレビジョン受像機１０のチャンネル選択操作（選局操作）を行うための処理について説明する。本例のテレビジョン受像機１０内のメモリ２２には、プリセットされたチャンネルを登録するプリセットチャンネル登録エリアを備える。図３は、プリセットチャンネル登録エリアの構成例を示した図である。ここでは、リモートコントロール装置３０に配置された１〜１２の１２個の数字キー（選局キー）ごとに、個別のプリセットチャンネルの記憶エリアが用意してある。そして、各数字キーごとのプリセットチャンネルの記憶エリアは、複数用意してあり、その複数の記憶エリアに順序がつけてある。例えば１つのキーごとに１６個のチャンネル番号の記憶領域が用意されていて、その１６個の記憶領域のデータに順序が付与してある。
【００２１】
１つの数字キーのそれぞれのチャンネル番号の記憶領域は、チャンネル番号だけでなく、そのチャンネル番号が属する放送サービスのデータについても記憶できるようにしてある。例えば図３の例では、数字「１」の数字キーに対応した記憶エリアの１番目には地上波デジタル放送の０１１チャンネルが記憶させてあり、２番目にはＢＳデジタル放送の１０１チャンネルと記憶させてある。
【００２２】
この図３のプリセットチャンネルの記憶処理は、例えばテレビジョン受像機１０を複数プリセットの登録モードとした上で、ユーザ操作に基づいて行われる。ユーザ操作は、例えばリモートコントロール装置３０の上下左右キー４５と決定キー４６などを操作して、メニュー画面を表示パネル１６に表示して行う。
【００２３】
図４のフローチャートは、この複数プリセットの登録モードでの制御部２１の制御に基づいた登録例（記憶例）を示したものである。図４に従って説明すると、まず制御部２１は、複数プリセットの登録モードとするユーザ操作があるか否か判断する（ステップＳ１１）。そして、複数プリセットの登録モードとするユーザ操作があると判断すると、制御部２１は、ＯＳＤ処理部１７でチャンネル登録画面（図５）の映像を生成させて、その映像を表示パネル１６に表示させる（ステップＳ１２）。そのチャンネル登録画面が表示された状態で、リモートコントロール装置３０のキー操作で、登録するチャンネルの選択操作があると、制御部２１は、その操作で指定されたチャンネルを画面上に表示させる（ステップＳ１３）。その後、登録チャンネルの選択を終了させる操作があるか否か制御部２１が判断し（ステップＳ１４）、終了操作がない場合にはステップＳ１３に戻って次のチャンネルの選択ができる状態で待機する。なお、ここでのチャンネルの登録時には、そのチャンネルが放送される放送サービス（地上波デジタル、地上波アナログ、ＢＳデジタル、ＢＳアナログ、ＣＳ放送など）についても選択が必要である。また、複数のチャンネルが入力された際には、その入力された順が、順序のデータとして登録されるようにしてある。
【００２４】
ステップＳ１４で、登録チャンネルの選択を終了させる操作があると、制御部２１は、その入力されたチャンネルを割り当てる数字キー４１の操作入力を判断して、そのときに入力された数字キー４１に付与された番号を、画面上の該当する欄に表示させる（ステップＳ１５）。そして、チャンネルプリセット操作を確定させる操作があるか否か判断し（ステップＳ１６）、該当する操作がある場合には、制御部２１はそのときに入力されて表示された内容を、メモリ２２のプリセットチャンネル登録エリアの該当する数字キー（選局キー）の欄に記憶させて、プリセット処理を確定させる（ステップＳ１７）。
【００２５】
その後、制御部２１は、プリセット登録モードを終了させる操作があるか否か判断し（ステップＳ１８）、終了操作がない場合にはステップＳ１２に戻って、別の選局キーに関するプリセット操作ができる状態とする。ステップＳ１８で終了させる操作があると判断すると、チャンネル登録画面の表示を消して、プリセット登録モードを終了させる。
【００２６】
図５は、このようなプリセット登録モード時に表示される画面の例である。図５に示すように、どの選局キーに登録させるのかを示すキー番号表示部１と、登録チャンネル名の表示部２と、そのチャンネル番号の表示部３と、前ページの表示指示ボタン４と、次ページの表示指示ボタン５と、確定ボタン６と、中止ボタン７などが表示させてある。図５の例では、登録チャンネル名の表示部２とチャンネル番号の表示部３については、１画面で８チャンネル分用意してあり、その画面を１つのキー番号ごとに２つ用意して、合計で１６チャンネルの登録（プリセット）ができるようにしてある。登録チャンネル名とチャンネル番号は、例えば入力操作された順に左上から順に表示されるようにしてあり、その表示順が、登録時の順序のデータとなるようにしてある。
【００２７】
なお、チャンネル番号を入力する際には、放送サービスの種類についても入力して設定するようにしてあり、例えば図６に示すように、地上波デジタル、地上波アナログ、ＢＳ放送、ＣＳ放送の選択画面８が表示されて、ユーザ操作で設定できるようにしてある。
【００２８】
次に、このようにしてプリセット登録された上で、リモートコントロール装置３０が操作された際のテレビジョン受像機１０での選局動作例を、図７のフローチャートを参照して説明する。この選局動作は、リモートコントロール信号受信部２４で受信した信号を制御部２１が判断して行われる。制御部２１は、受信した信号として、数字キー（選局キー）の操作で送信されるコードを受信したか否か判断する（ステップＳ２１）。この受信で、数字キー以外のコードの受信である場合には、その受信したコードに対応して記憶された制御処理を行う（ステップＳ２２）。
【００２９】
そして、数字キーのコードを受信したと判断した場合には、受信コードで示された数字キーのプリセットチャンネル登録エリア（図３）のデータを、メモリ２２から読み出し、その読み出されたデータで示されたプリセットチャンネルを制御部２１が判断し、現在チューナ１２で受信して表示中のチャンネルが、その登録エリアのリストに登録されているか否か判断する（ステップＳ２３）。この判断で、現在受信中のチャンネル以外が登録されている場合には、該当する登録エリアのリストに最初に記憶されたチャンネルを受信するように、受信チャンネルを切換える選局処理を行う（ステップＳ２４）。また、ステップＳ２３の判断で、現在受信中のチャンネルが登録されたチャンネルである場合には、その現在受信中のチャンネルの次に登録されたチャンネルを記憶データから判断し、その判断したチャンネルを選局させる（ステップＳ２５）。なお、ステップＳ２４やステップＳ２５での選局時には、そのチャンネルが属する放送サービスについても記憶されているので、該当する放送サービスの受信に切換える切換え処理についても同時に行われる。また、ステップＳ２５でリストの最後のチャンネルの受信中である場合には、そのリストの先頭の順番のチャンネルに選局させる。
【００３０】
このようにして選局が行われることで、例えば、リモートコントロール装置３０の同じ選局キー４１が連続して操作されると、その選局キー４１に対応してテレビジョン受像機３０の選局可能チャンネルメモリとしてのメモリ２２のプリセットチャンネル登録エリアに記憶されたチャンネルが、メモリ２２に記憶された順に選局されることにとなる。違う選局キー４１が押されると、その選局キーに対応して登録された先頭のチャンネルが選局される。このようにして、本例のリモートコントロール装置３０には、１２個の選局キー４１しか配置されていないが、選局キー４１の操作だけで、１２個を越える数のチャンネルを直接選局できるようになる。
【００３１】
なお、リモートコントロール装置３０のチャンネルアップダウンキー４２が操作された場合の選局処理については特に説明しなかったが、例えば、各選局キー４１のプリセットチャンネル登録エリアに記憶されたチャンネルの先頭（１番目）に登録されたチャンネルだけを使用して、チャンネルアップ又はチャンネルダウンを行うようにしてもよい。或いは、登録された全てのチャンネルを使用して、順にチャンネルアップ又はチャンネルダウンを行うようにしてもよい。
【００３２】
次に、プリセットチャンネル登録処理として、番組表を表示させた状態から登録する処理例について、図８のフローチャートを参照して説明する。本例のテレビジョン受像機３０は、放送信号などから得た電子番組表情報（ＥＰＧ情報）を使用して、各チャンネルの番組表を表示させることができる構成としてある。そして、特定のチャンネルの番組表を表示させた状態で（ステップＳ３１）、制御部２１は、番組表の表示中に用意されたプリセットボタンが押されたか否か判断する（ステップＳ２２）。この判断で、プリセットボタンが押された場合には、後述するチャンネル登録画面を表示させる（ステップＳ２３）。このとき、表示させた番組表で示されるチャンネルを、チャンネル登録画面の登録チャンネルに加えた状態で表示させる。
【００３３】
図９は、番組表の表示例を示した図である。この例は、チャンネル番号及び放送局名の表示エリア５１と、そのチャンネルの指定した時間帯の番組表示エリア５２と、プリセットボタン表示５３とを行うようにしてある。この図９の画面が表示された状態で、プリセットボタン表示５３が押される操作があると、例えば図１０に示すチャンネル登録画面に表示が変わる。図１０に示したチャンネル登録画面では、チャンネル番号及び放送局名（チャンネル名）の表示部５４と、選局キーの数字の表示部５５と、確定ボタン表示５６と、中止ボタン表示５７とが用意され、確定ボタン５６を押す操作があると、登録される。この登録時には、図５に示したような一覧表示をさせてもよい。
【００３４】
次に、テレビジョン受像機３０の制御部２１の制御で、チャンネル登録を自動的に行う例を、図１１のフローチャートを参照して説明する。図１１のフローチャートについて説明すると、自動プリセットモードとする操作があると（ステップＳ４１）、表示パネルにはジャンルを選択させる画面を表示させ、その画面上でジャンルの選択操作があるか否か判断する（ステップＳ２２）。その判断でジャンルの選択が行われたと判断した場合に、さらにサブジャンルの選択があるか否か判断する（ステップＳ２３）。そして、選択されたジャンル及びサブジャンルの番組が放送されるチャンネルを、電子番組表などから判断して検索する（ステップＳ２４）。サブジャンルの選択がない場合には、選択されたジャンルだけから判断する。そして、その検索結果に基づいて、指定されたジャンル及びサブジャンルの番組が放送されるチャンネルが登録チャンネルとして表示された登録画面を表示させ（ステップＳ２５）、その登録画面に基づいてプリセット処理を行う。
【００３５】
図１２は、自動登録画面の一例を示した図である。この図１２の例では、ジャンル選択表示６１と、選局キーの数字の表示６２と、確定ボタン表示６３と、中止ボタン表示６４とを表示させた画面としてあり、ジャンル選択表示６１で選択したいジャンルを選び、登録させたい選局キーの数字を表示６２で選び、確定ボタン６３を押す操作を行って、そのジャンルの番組が放送されるチャンネルを検索させて、その検索されたチャンネルを登録させる。
【００３６】
図１３は、ジャンルとサブジャンルとを選択する詳細画面の表示例である。この図１３に示すように、多数のジャンルが表示されたジャンル表示６５から１つのジャンルを選択し、さらに、多数のサブジャンルが表示されたサブジャンル表示６６から１つのジャンルを選択し、確定ボタン表示６７及び中止ボタン表示６８の操作で、ジャンル及びサブジャンルの確定又は取消が行われる。
【００３７】
このようにしてジャンルやサブジャンルが選択されると、例えば電子番組表の情報から該当するジャンルの番組が放送されるチャンネルが検索されて、その検索されたチャンネルの一覧（例えば図５に示す表示）が行われて、その検索されたチャンネルが特定の数字キー（選局キー）に割り当てられる。
【００３８】
次に、複数のチャンネルのプリセットとして、編成チャンネルと称されるチャンネルが１つの放送局に複数存在する場合の例について説明する。即ち、地上波デジタル放送では、１つの放送局に複数のチャンネルが割り当てられ、その複数のチャンネルが編成チャンネルと称される。その編成チャンネルを、本例の処理で１つの選局キーにまとめるようにしてもよい。図１４のフローチャートは、この場合のテレビジョン受像機３０の制御部２１での処理例を示したものである。この例では、編成チャンネルの自動プリセット登録モードが設定されると（ステップＳ５１）、電子番組表のデータなどから編成チャンネルの構成を制御部２１が自動的に判断し（ステップＳ５２）、その判断した編成チャンネルを、放送局単位で１つずつの数字キー（選局キー）に割り当てるプリセットチャンネル構成として、そのプリセットチャンネル構成をメモリ２２に記憶させる（ステップＳ５３）。
【００３９】
図１５は、この場合のプリセットチャンネル構成の例である。地上波デジタル放送の場合には、チャンネル番号が３桁で構成されて、上２桁が放送局ごとに割り当てられたチャンネル番号で、下１桁が編成チャンネルごとの番号である。従って、上２桁が同じチャンネル番号については、同じ数字キー（選局キー）に割り当てるようにしてある。
【００４０】
この図１５に示すプリセット構成とすることで、編成チャンネルが存在する場合の選局操作についても簡単に行うことができる。なお、この図１５に示すプリセットを行った上で、さらに、ユーザが自由に各数字キーへのプリセットチャンネルの追加や削除ができるようにしてもよい。
【００４１】
なお、ここまで説明した実施の形態では、受信する放送サービスとして、チューナで直接放送波を受信して、その受信した放送信号から映像信号及び音声信号を得て、表示や音声出力を行う場合の選局処理について説明したが、例えば、インターネットに接続可能なテレビジョン受像機として構成して、インターネット上の放送サービスに準じた映像配信が行われる所定のサイトにアクセスして、そのサイト上のチャンネル番号（アクセス番号、プログラム番号など）を指定して、映像プログラムの配信を受ける場合の、チャンネル番号に相当する番号を指定して映像の配信を受ける処理にも適用可能である。
【図面の簡単な説明】
【００４２】
【図１】本発明の一実施の形態による構成例を示すブロック図である。
【図２】本発明の一実施の形態によるリモートコントロール装置の構成例を示す正面図である。
【図３】本発明の一実施の形態によるメモリのプリセット状態の例を示す説明図である。
【図４】本発明の一実施の形態によるプリセット処理例を示すフローチャートである。
【図５】本発明の一実施の形態による選局チャンネル割り当て画面の例(例１)を示す説明図である。
【図６】本発明の一実施の形態による選局チャンネル割り当て画面の例(例２)を示す説明図である。
【図７】本発明の一実施の形態による選局処理例を示すフローチャートである。
【図８】本発明の一実施の形態による番組表からのプリセット例を示すフローチャートである。
【図９】本発明の一実施の形態による番組表の画面の例を示す説明図である。
【図１０】本発明の一実施の形態による番組表からのプリセット画面の例を示す説明図である。
【図１１】本発明の一実施の形態による自動プリセット例を示すフローチャートである。
【図１２】本発明の一実施の形態による自動チャンネル登録画面例（例１）を示す説明図である。
【図１３】本発明の一実施の形態による自動チャンネル登録画面例（例２）を示す説明図である。
【図１４】本発明の他の実施の形態によるチャンネルプリセット例を示すフローチャートである。
【図１５】図１４の例によるプリセットチャンネルの例を示す説明図である。
【符号の説明】
【００４３】
１０…テレビジョン受像機、１１…アンテナ線接続端子、１２…チューナ、１３…映像処理部、１４…映像合成部、１５…表示駆動部、１６…表示パネル、１７…ＯＳＤ処理部、２１…制御部、２２…メモリ、２３…操作部、２４…リモートコントロール信号受信部、３０…リモートコントロール装置、３１…制御部、３２…メモリ、３３…リモートコントロール信号送信部、４１〜４６…操作キー
【図１】
2007281899.tif 000003
【図２】
2007281899.tif 000004
【図３】
2007281899.tif 000005
【図４】
2007281899.tif 000006
【図５】
2007281899.tif 000007
【図６】
2007281899.tif 000008
【図７】
2007281899.tif 000009
【図８】
2007281899.tif 000010
【図９】
2007281899.tif 000011
【図１０】
2007281899.tif 000012
【図１１】
2007281899.tif 000013
【図１２】
2007281899.tif 000014
【図１３】
2007281899.tif 000015
【図１４】
2007281899.tif 000016
【図１５】
2007281899.tif 000017